(57)【要約】【解決手段】一体化された成長抑制物（６２０）を有する滑らかな上表面（６４０）を備えた発光式溶存酸素センサのためのセンサ窓部を開示する。成長抑制物（６２０）は、センサ窓部のある割合の領域だけを覆い、流体がセンサ窓部の表面を透過することを許す。【選択図】図６
2009522574.tif 000002
【特許請求の範囲】
【請求項１】
滑らかな上表面（６４０）を備えたセンサ窓部を有し、当該滑らかな上表面（６４０）が領域を有する発光式溶存酸素センサであって、
前記領域の第１の割合Ｘを形成する成長抑制物（６２０）と、
前記領域の第２の割合Ｙを形成する不透光性且つ透水性材料（６１４）と
を有することを特徴とする発光式溶存酸素センサ。
【請求項２】
請求項１に記載の発光式溶存酸素センサにおいて、前記成長抑制物（６２０）は銅であることを特徴とする発光式溶存酸素センサ。
【請求項３】
請求項１に記載の発光式溶存酸素センサにおいて、前記第１の割合Ｘは、１０％から８０％の間であることを特徴とする発光式溶存酸素センサ。
【請求項４】
請求項１に記載の発光式溶存酸素センサにおいて、前記第２の割合Ｙは、概ね１００％−Ｘに等しいことを特徴とする発光式溶存酸素センサ。
【請求項５】
請求項１に記載の発光式溶存酸素センサにおいて、前記成長抑制物（８２０）は、前記不透光性且つ透水性材料と共に混ぜられた粒子の形状であることを特徴とする発光式溶存酸素センサ。
【請求項６】
請求項５に記載の発光式溶存酸素センサにおいて、前記成長抑制物（８２０）の粒子は、混合された不透光性且つ透水性材料（８１４）と成長抑制物（８２０）とによって形成された層の厚さよりも小さい大きさを有することを特徴とする発光式溶存酸素センサ。
【請求項７】
請求項１に記載の発光式溶存酸素センサにおいて、
前記不透光性且つ透水性材料（６１４）の下に層を形成する発光物質（６１２）を更に有することを特徴とする発光式溶存酸素センサ。
【請求項８】
請求項７に記載の発光式溶存酸素センサにおいて、
前記成長抑制物（９２０）は、第１の厚さを有し、
前記不透光性且つ透水性材料（９１４）は、第２の厚さを有し、
前記発光物質（９１２）の層は、第３の厚さを有し、
前記第１の厚さは、前記第２の厚さと前記第３の厚さの和に等しいことを特徴とする発光式溶存酸素センサ。
【請求項９】
請求項７に記載の発光式溶存酸素センサにおいて、
前記成長抑制物（７２０）は、第１の厚さを有し、
前記不透光性且つ透水性材料（７１４）は、第２の厚さを有し、
前記発光物質（７１２）の層は、第３の厚さを有し、
前記第１の厚さは、前記第２の厚さと前記第３の厚さの和よりも大きいことを特徴とする発光式溶存酸素センサ。
【請求項１０】
請求項７に記載の発光式溶存酸素センサにおいて、
前記成長抑制物（６２０）と前記発光物質（６１２）との下に層を形成する水圧防壁（６１０）を有することを特徴とする発光式溶存酸素センサ。
【請求項１１】
請求項７に記載の発光式溶存酸素センサにおいて、
前記発光物質（６１２）も、前記成長抑制物（６２０）の下に層を形成することを特徴とする発光式溶存酸素センサ。
【請求項１２】
請求項１１に記載の発光式溶存酸素センサにおいて、
前記成長抑制物（６２０）は、第１の厚さを有し、
前記不透光性且つ透水性材料（６１４）は、第２の厚さを有し、
前記第１の厚さは、前記第２の厚さに等しいことを特徴とする発光式溶存酸素センサ。
【請求項１３】
請求項１１に記載の発光式溶存酸素センサにおいて、
前記成長抑制物（７２０）は、第１の厚さを有し、
前記不透光性且つ透水性材料（７１４）は、第２の厚さを有し、
前記第１の厚さは、前記第２の厚さよりも大きいことを特徴とする発光式溶存酸素センサ。
【請求項１４】
請求項１１に記載の発光式溶存酸素センサにおいて、
前記発光物質（６１２）の下に層を形成する水圧防壁（６１０）を更に有することを特徴とする発光式溶存酸素センサ。
【請求項１５】
請求項１に記載の発光式溶存酸素センサにおいて、
前記成長抑制物は固体表面に分散して配置された複数の開口部を備えた固体表面（５ａ，５ｂ）の形式であり、
前記不透光性且つ透水性材料（６１４）は、前記複数の開口部を満たすことを特徴とする発光式溶存酸素センサ。
【請求項１６】
請求項１に記載の発光式溶存酸素センサにおいて、
前記複数の開口部は、円形状（５ａ）を有することを特徴とする発光式溶存酸素センサ。
【請求項１７】
抗汚材料（６２０）を備えたセンサ窓部の領域の一部を覆う方法において、
前記抗汚材料（６２０）によって覆われていないセンサ窓部の部分を不透光性且つ透水性材料（６１４）で覆い、
前記抗汚材料と前記不透光性且つ透水性材料とによって形成された表面を滑らかにすることを特徴とする方法。
【請求項１８】
水圧防壁（６１０）の上に発光物質（６１２）の層を配置する方法において、
前記発光物質（６１２）の第１の割合を抗汚材料（６２０）で覆い、それによって、当該発光物質の第２の割合を露出させ、
露出された前記発光物質（６１２）を不透光性且つ透水性材料（６１４）で覆い、
前記抗汚材料（６２０）と前記不透光性且つ透水性材料（６１４）とによって形成された表面を滑らかにすることを特徴とする方法。
【請求項１９】
抗汚合成物（８２０）の粒子を不透光性且つ透水性材料（８１４）に混ぜ、
発光物質（８１２）を、不透光性且つ透水性材料（８１４）と抗汚粒子（８２０）との混合物の層で覆い、
前記層の表面を滑らかにすることを特徴とする方法。
【発明の詳細な説明】
【技術分野】
【０００１】
本発明は、センサの分野、特に、一体化した抗汚材料（anti-fouling material）を備えた滑らかなセンサ面を有する発光式溶存酸素センサ（luminescent dissolved oxygen sensor）に関する。
【背景技術】
【０００２】
水中の酸素の濃度は、ある種のプローブを使って測定することができる。水中の酸素は、プローブの外側の発光物質と相互作用を及ぼし合う。酸素と発光物質との間でこの相互作用が起こる結果、発光の低下という公知の現象が引き起こされる。従って、発光の低下量は、水中の酸素の濃度を示す。
【０００３】
動作中において、プローブは、単一の波長を中心とした光源を発光物質（luminescent material）の上に向けさせる。光は発光物質に当たって、異なる波長を中心とする発光光を発生させる。発光の低下は、発光物質が発光を継続する時間量に影響する。従って、仮に光源の信号が正弦波状に変化するなら、発光の低下は励起光と発光光との間の位相の変化に影響する。プローブは、励起光と発光光との間の位相の変化を測定するために光センサを使用して、発光の低下量を評価する。その結果、プローブは、位相の変化を処理して、水中の酸素の濃度を決定する。そのようなプローブに関する例が、２００３年２月３日に出願された「発光光のための位相変化測定」と題する米国特許第６，９１２，０５０号に開示されている。これを、ここに参照として織り込むこととする。
【０００４】
発光式溶存酸素センサ（プローブとも呼ぶ）は、使用時に水に浸される。発光物質は、センサが適切に動作するために、水に晒されなければならない。水に晒されたセンサの表面は、時間と共に生物学的成長または沈殿物によって汚れるかもしれない。汚れたセンサは、応答時間の低下や不正確な性能、またはその両方を有するかもしれない。多くのセンサは、センサの表面をきれいにするように構成されたワイパを有する。センサ表面に例えば銅等の成長抑制物（growth inhibitor）を付着させたセンサが、なかにはあるかもしれない。成長抑制物は、抗汚合成物又は薬品として知られている。抗汚薬品の他の例には、ローム・アンド・ハース・バイオサイズ社（Rohm and Haas Biocides）によって製造され、カーソンＲＨ−２８７ミクロビサイド（Kathon RH-287 Microbicide）として市販されている材料４，５−ジクロロ−２−ｎ−オクチル−４−イソチアゾリン−３−ワン（4,5-Dichloro-2-n-octyl-4-isothiazolin-3-one）（ＣＡＳ登録番号：６４３５９−８１−５）がある。成長抑制物は発光物質の上に水不浸透性シール（water tight seal）を作り出してセンサの動作を妨げるので、成長抑制物はセンサ領域を完全に覆うことはできない。それゆえに、成長抑制物は、一般的にセンサ表面に取り付けられる網目（mesh）や網（screen）として据え付けられる。センサ表面上に成長抑制物の網目や格子（grid）が付加されると、センサ表面に窪み（pocket）が作り出される。これらの窪みのために、ワイパでセンサをきれいに拭くことは困難になる。
【０００５】
それゆえに、ワイパの性能を下げることなく、センサ表面に成長抑制物を付加するためのシステムと方法に対する要求がある。
【０００６】
【特許文献１】米国特許第６，９１２，０５０号
【発明の開示】
【発明が解決しようとする課題】
【０００７】
（発明の概要）
一体化された成長抑制物を有する滑らかな上表面を備えた発光式溶存酸素センサのためのセンサ窓部を開示する。成長抑制物は、センサ窓部のある割合の領域だけを覆い、流体がセンサ窓部の表面を透過することを許す。
【０００８】
本発明の一つの特徴は、発光式溶存酸素センサは、滑らかな上表面（top surface）を備えたセンサ窓部を有し、滑らかな上表面が領域を有する発光式溶存酸素センサであって、領域の第１の割合Ｘを形成する成長抑制物growth inhibitorと、領域の第２の割合Ｙを形成する不透光性且つ透水性材料（optically opaque hydrostatically transparent material）とを有する。
【０００９】
好ましくは、成長抑制物は銅である。
【００１０】
好ましくは、第１の割合Ｘは、１０％から８０％の間である。
好ましくは、第２の割合Ｙは、概ね１００％−Ｘに等しい。
【００１１】
好ましくは、成長抑制物は、不透光性且つ透水性材料と共に混ぜられた粒子（particles）の形状である。
【００１２】
好ましくは、成長抑制物の粒子は、混合された不透光性且つ透水性材料と成長抑制物とによって形成された層の厚さよりも小さい大きさを有する。
【００１３】
好ましくは、不透光性且つ透水性材料の下に層を形成する発光物質を更に有する。
好ましくは、成長抑制物は第１の厚さを有し、不透光性且つ透水性材料は第２の厚さを有し、発光物質の層は第３の厚さを有し、第１の厚さは、第２の厚さと第３の厚さの和に等しい。
好ましくは、成長抑制物は第１の厚さを有し、不透光性且つ透水性材料は第２の厚さを有し、発光物質の層は第３の厚さを有し、第１の厚さは、第２の厚さと第３の厚さの和よりも大きい。
【００１４】
好ましくは、成長抑制物と発光物質との下に層を形成する水圧防壁（hydrostatic barrier）を有する。
【００１５】
好ましくは、発光物質も成長抑制物の下に層を形成する。
【００１６】
好ましくは、成長抑制物は第１の厚さを有し、不透光性且つ透水性材料は第２の厚さを有し、第１の厚さは第２の厚さに等しい。
【００１７】
好ましくは、成長抑制物は第１の厚さを有し、不透光性且つ透水性材料は第２の厚さを有し、第１の厚さは第２の厚さよりも大きい。
【００１８】
好ましくは、発光物質の下に層を形成する水圧防壁を更に有する。
好ましくは、成長抑制物は固体表面に分散して配置された複数の開口部を備えた固体表面の形式であり、不透光性且つ透水性材料は複数の開口部を満たす。
【００１９】
好ましくは、複数の開口部は円形状を有する。
【００２０】
本発明の他の特徴は、抗汚材料（anti-fouling material）を備えたセンサ窓部の領域の一部を覆う方法において、抗汚材料によって覆われていないセンサ窓部の部分を不透光性且つ透水性材料で覆い、抗汚材料と不透光性且つ透水性材料とによって形成された表面を滑らかにする。
【００２１】
本発明の他の特徴は、水圧防壁の上に発光物質の層を配置する方法において、発光物質の第１の割合を抗汚材料で覆い、それによって、発光物質の第２の割合を露出させ、露出された発光物質を不透光性且つ透水性材料で覆い、抗汚材料と不透光性且つ透水性材料とによって形成された表面を滑らかにする。
【００２２】
本発明の他の特徴は、抗汚合成物の粒子を不透光性且つ透水性材料に混ぜ、発光物質を不透光性且つ透水性材料と抗汚粒子との混合物の層で覆い、層の表面を滑らかにする。
【発明を実施するための最良の形態】
【００２３】
図５乃至図９及び以下の記載は、本発明の最良の形態の作り方と使い方を当業者に教示するための特定の例を記述する。本発明の原則を教示する目的のために、いくつかのありきたりの（conventional）面を簡素化または省略した。当業者は、本発明の範囲の中にあるこれらの例からの変形例を評価するであろう。当業者は、本発明の複数の変形例を形成するために、以下に述べる特徴が種々の方法で結合され得ること評価するであろう。その結果、本発明は、以下に述べる特定の例に限定されるのではなく、特許請求の範囲とその同等物によってだけ限定される。
【００２４】
図１は、発光式溶存酸素センサ（luminescent dissolved oxygen sensor）１００の分解図である。発光式溶存酸素センサ１００は、プローブ本体１０２と、キャップ１０８と、Ｏリング１０６と、シール１０４とを有する。キャップ１０８は、表面１１０の上に配置された発光物質を有する。発光物質１１２は、一般的には、ポリスチレン（Polystyrene）と白金・ポルフィニン（Platinum Porphynin）との混合物である。発光物質は、水が発光物質へと透過するのを許すが光が発光物質へと透過するのを妨げる不透光性且つ透水性材料（optically opaque hydrostatically transparent material）によって覆われる。不透光性且つ透水性材料の一例は、カーボンランプブラック（carbon lamp black）とポリブチル・メタクリレート（Polybutyl Methacrylate）の混合物である。キャップ１０８は、プローブ本体１０２上のねじ山（threads）１１２に螺合するように構成される。Ｏリング１０６とシール１０４とは、キャップ１０８と本体１０２との間に水不浸透性シールを形成するのを助ける。キャップ１０８は、現場で交換可能なように設計される。ユーザは、水からプローブを取り、プローブから汚れたキャップを取り外し、それを新しいキャップと交換し、プローブを水の中へ再据え付けすることができる。表面１１０は平坦であり、隣接したセンサ（図示省略）の上に取り付けられたワイパは、表面１１０をきれいにするように構成される。他の設計では、ワイパは同じプローブの上に取り付けられるかもしれない。表面１１０は、センサ窓部を形成するキャップの領域の上面側である。センサ窓部は、光が水圧防壁（hydrostatic barrier）を通ってセンサ窓部の一方の側から発光物質へと透過することを許し、流体がセンサ窓部の他方の側から発光物質へと透過することを許す。
【００２５】
図２は、プローブの側面断面図である。プローブ２００は、プローブ本体２０２と、光源２０４と、光検出器／センサ２０６と、水圧防壁２１０と、発光物質２１２と、不透光性且つ透水性材料２１４とを有する。
【００２６】
本体２０２は、光源と光検出器２０６とを動作させるために使用される電気部品（図示省略）と同様に、光源２０４と光検出器／センサ２０６とを含む。光源２０４と光センサ１０６と電気部品とは、一般的には、乾燥した状態に保たれる必要がある。水圧防壁２１０は、本体２０２によって形成された空洞に流体が入るのを防ぐために、本体２０２に対してシールを形成する。Ｏリング又はガスケット（図示省略）が、水圧防壁２１０と本体２０２との間にシールを形成するのを助けるのに使用されるかもしれない。水圧防壁２１０は、光を透過するが水を透過しないいかなる材料、例えば、プラスチック、ガラス、水晶などで作ることができる。水圧防壁は、本体２０２に螺合されるキャップとして形成される。発光物質２１２は、水圧防壁２１０の上面に配置される。不透光性且つ透水性材料２１４は、発光物質２１２の上面に配置されて、水圧防壁２１０を囲む。本体２０２と不透光性且つ透水性材料２１４とは、光源２０４と、光検出器２０６と、発光物質２１２との周りに、不透光性密閉容器（light tight container）を形成する。キャップの滑らかな上面は、ワイパによってきれいにされるように構成される。
【００２７】
発光式溶存酸素センサのセンサ窓部は、プローブの上面にある必要はない。図３は、横方向に窓部を有する（side viewing）発光式溶存酸素センサ３００の断面図である。センサ３００は、センサ窓部３３０を有する。センサ窓部３３０は、水圧防壁３１０と、発光物質３１２と、発光物質３１２を覆う不透光性且つ透水性材料３１４とを有する。図４は、水圧防壁４１０と発光物質４１２と不透光性且つ透水性材料４１４とを有するセンサ窓部４３０の等角図である。センサ窓部は、円の形状である必要はない。他の形状、例えば、方形が使われるかもしれない。添付図面は尺度に拠っておらず、いくつかの厚さは本発明の説明における明確さのために増やされており、例えば、実際には、不透光性且つ透水性材料は、他の層の上に配置された薄い層（１０乃至２０ミクロン・メートル）にすぎないかもしれない。不透光性且つ透水性材料のより厚い層が使われるかもしれない。
【００２８】
本発明の一実施形態において、抗汚合成物は、発光式溶存酸素センサのセンサ領域に一体化される。その抗汚合成物又は成長抑制物は、センサ窓部の表面が滑らかな状態を維持できるような方法で、センサ窓部に一体化される。センサ窓部の滑らかな表面は、センサ窓部の表面を容易にきれいな状態にできるようにする。抗汚薬品は、センサの適切な動作を妨げることになるから、センサ窓部の上面に水不浸透性シールを形成できない。抗汚薬品の種類は重要ではなく、銅、４、５−ジクロロ−２−ｎ−オクチル−４−イソチアゾリン−３−ワン（4,5-Dichloro-2-n-octyl-4-isothiazolin-3-one）などがあり得る。
【００２９】
本発明の一実施形態において、成長抑制物は、平面（plain）の形式を取るかもしれない。その平面には複数の開口部が形成される。図５ａ及び図５ｂは、本発明の一実施形態において、成長抑制物のシートの平面図である。そのシートには開口部のパターンが形成される。開口部の形状は重要ではなく、いかなる形状も取り得る。図５ａは開口部を円形状として示し、図５ｂは開口部を四角形状として示す。開口部の大きさは変えることができ、抗汚材料（anti-fouling material）によって覆われた領域の割合を管理するために使われ得る。本発明の一実施形態において、成長抑制物によって覆われたセンサ窓部の割合は１０％と８０％との間で変えることができる。本発明の他の実施形態において、抗汚材料は、金網（wire mesh）の形状を取るかもしれない。図５ｃは、本発明の一実施形態において、金網の形状の成長抑制物の平面図である。
【００３０】
図６は、本発明の一実施形態における発光式溶存酸素センサのセンサキャップの断面図である。センサキャップは、水圧防壁６１０と発光物質６１２と不透光性且つ透水性材料６１４と成長抑制物６２０とを有する。水圧防壁６１０は、水圧防壁６１０の上面に平坦なセンサ領域６４０を形成する。発光物質６１２は、水圧防壁６１０のセンサ領域６４０の上面に層を形成する。不透光性且つ透水性材料６１４は、発光物質６１２の上面に層を形成し、発光物質６１２のある割合だけを覆う。成長抑制物は、センサ領域（図示省略）の端を超えて延びるかもしれない。不透光性且つ透水性材料６１４は、成長抑制物６２０に覆われていない領域内であって発光物質６１２の上面に形成される。不透光性且つ透水性材料６１４と成長抑制物の厚さは、センサ領域の上表面が本質的に滑らかになるように調整される。滑らかな表面は、センサ窓部がきれいに拭かれるとき、成長や沈殿がセンサ窓部の表面の窪みや凹み（depression）内に蓄積することを防ぐ。本発明の他の実施形態において、不透光性且つ透水性材料は、成長抑制物の横と同様に、成長抑制物の下に層を形成するかもしれない（図示省略）。
【００３１】
いくつかの場合においては、抗汚材料は不透光性且つ透水性材料の名目上の厚さよりも厚いかもしれない。図７は、本発明の他の実施形態における発光式溶存酸素センサのセンサ窓部の断面図である。センサ窓部は、水圧防壁７１０と、発光物質７１２と、不透光性且つ透水性材料６１４と、抗汚材料７２０とを有する。この実施形態において、抗汚材料７２０は、不透光性且つ透水性材料６１４の名目上の厚さよりも、一般的に厚い。厚さに関する相違を補償するために、水圧防壁７１０の表面は、滑らかではない表面で形成されてきた。滑らかではない上表面は、抗汚材料の形状に調和する圧痕（impression）の模様を有する。抗汚材料は、製造工程の間、その圧痕に適合する。抗汚材料はまた、センサ領域（図示省略）の端を超えて延びるかもしれない。不透光性且つ透水性材料６１４は、滑らかでないセンサ領域の上面を覆って、抗汚材料で滑らかな上表面７４０を形成する。
【００３２】
抗汚材料は、たくさんの製造技術を使って不透光性且つ透水性材料でセンサ領域上に一体化されるかもしれない。本発明の一実施形態では、抗汚材料は、発光物質の上面に配置される薄いシート又は金網として製造される。不透光性且つ透水性材料が塗られて（applied）、表面が削られ、磨かれ、又は、滑らかに拭かれる。本発明の他の実施形態では、成長抑制物がスプレーされ、又は、センサ領域の上へ配備されるかもしれない。成長抑制物が銅のような金属製のとき、電気化学沈殿法（electro-chemical deposition method）が使われるかもしれない。真空蒸着（Vacuum deposition）も可能である。本発明の他の実施形態では、不透光性且つ透水性材料と抗汚材料の粒子との混合物が、発光物質の上に塗られるかもしれない。それから、上表面は滑らかにされ、抗汚粒子が露出される。
【００３３】
図８は、本発明の一実施形態において、抗汚粒子と不透光性且つ透水性材料との混合物を使ったセンサ窓部の断面図である。図８ａに示すセンサ窓部は、水圧防壁８１０と、発光物質８１２と、抗汚粒子８２０に混ぜられた不透光性且つ透水性材料８１４を含む層とを有する。混合層の上表面は滑らかにされ、抗汚粒子８２０の部分を露出している。抗汚粒子８２０の大きさ、抗汚粒子８２０の数、滑らかにする工程において除去された材料の量とが、センサ領域の上表面にて露出される抗汚粒子と不透光性且つ透水性材料との割合を決定するために使われることができる。本発明の一実施形態において、粒子の大きさは、混合層の厚さよりも小さい。図８ｂは、本発明の他の実施形態において、抗汚粒子と不透光性且つ透水性材料との混合物を使ったセンサ窓部の断面図である。図８ｂに示すセンサ窓部は、水圧防壁８１０と、発光物質８１２と、抗汚粒子８２０に混ぜられた不透光性且つ透水性材料８１４を含む層とを有する。混合層の上表面は滑らかにされ、抗汚粒子８２０の部分を一部を露出している。抗汚粒子は、粒子を含む層の厚さよりも大きさが小さい。
【００３４】
図９は、本発明の一実施形態におけるセンサ窓部の断面図である。図９に示すセンサ窓部は、水圧防壁９１０と発光物質９１２と不透光性且つ透水性材料９１４と成長抑制物９２０とを有する。この実施形態において、成長抑制物は水圧防壁９１０の上面にあり、それをある割合で覆っている。発光物質９１２もまた、水圧防壁９１０の上面に層を形成している。成長抑制物９２０の開口部によって露出された部分を残して水圧防壁９１０の部分を覆っている。不透光性且つ透水性材料９１４は、発光物質９１２の上面に層を形成する。不透光性且つ透水性材料９１４と発光物質９１２との厚さは、成長抑制物の厚さと調和するように調整されており、このことによって、センサ窓部のための滑らかな上表面が形成されている。
【００３５】
上述したセンサ窓部の実施形態では、センサ窓部は平坦であり滑らかである。本発明は、平坦なセンサ窓部に限定されるものではなく、例えば、円筒形状や環形状などの他の形状も使われる。
【図面の簡単な説明】
【００３６】
【図１】発光式溶存酸素センサ１００の分解図である。
【図２】プローブ２００の側面断面図である。
【図３】横方向に窓部を有する（side viewing）発光式溶存酸素センサ３００の断面図である。
【図４】センサ窓部４３０の等角図である。
【図５ａ】本発明の一実施形態において、開口部の模様を備え、シートに形成された成長抑制物のシートの平面図である。
【図５ｂ】本発明の他の実施形態において、開口部の模様を備え、シートに形成された成長抑制物のシートの平面図である。
【図５ｃ】本発明の一実施形態において、金網の形状の成長抑制物の平面図である。
【図６】本発明の一実施形態における発光式溶存酸素センサのセンサキャップの断面図である。
【図７】本発明の一実施形態における発光式溶存酸素センサのセンサ窓部の断面図である。
【図８】本発明の一実施形態において、抗汚粒子と不透光性且つ透水性材料との混合物を使ったセンサ窓部の断面図である。
【図９】本発明の一実施形態におけるセンサ窓部の断面図である。
【図１】
2009522574.tif 000003
【図２】
2009522574.tif 000004
【図３】
2009522574.tif 000005
【図４】
2009522574.tif 000006
【図５ａ】
2009522574.tif 000007
【図５ｂ】
2009522574.tif 000008
【図５ｃ】
2009522574.tif 000009
【図６】
2009522574.tif 000010
【図７】
2009522574.tif 000011
【図８ａ】
2009522574.tif 000012
【図８ｂ】
2009522574.tif 000013
【図９】
2009522574.tif 000014
【国際調査報告】
2009522574.tif 000015
2009522574.tif 000016